(57)【要約】【課題】より防火性に優れた建具を提供する。【解決手段】中空部内に金属製の補強部材を備えた複数の枠材が枠組みされて開口を形成する合成樹脂製の枠体と、枠体にヒンジを介して取り付けられ開口を閉止可能に設けられた障子と、枠体と障子とを連結し障子を開く方向に付勢するダンパーと、障子におけるヒンジとは反対側の部位を閉止状態にて枠体に係止する係止機構と、枠体に設けられ開放された障子を閉止する方向に移動させる為の移動操作機構と、枠体に設けられ係止機構による係止を解除する為の解除操作機構と、枠体の互いに隣り合う枠材内の補強部材同士を連結する金属製の連結部材と、ダンパー、移動操作機構、及び、解除操作機構を各々枠体に固定する金属製の固定部材と、を有し、固定部材は、連結部材とともに補強部材に固定されている。【選択図】図４
2020023808.tif 000002
【特許請求の範囲】
【請求項１】
中空部内に金属製の補強部材を備えた複数の枠材が枠組みされて開口を形成する合成樹脂製の枠体と、
前記枠体にヒンジを介して取り付けられ前記開口を閉止可能に設けられた障子と、
前記枠体と前記障子とを連結し前記障子を開く方向に付勢するダンパーと、
前記障子における前記ヒンジとは反対側の部位を閉止状態にて前記枠体に係止する係止機構と、
前記枠体に設けられ開放された前記障子を閉止する方向に移動させる為の移動操作機構と、
前記枠体に設けられ前記係止機構による係止を解除する為の解除操作機構と、
前記枠体の互いに隣り合う前記枠材内の前記補強部材同士を連結する金属製の連結部材と、
前記ダンパー、前記移動操作機構、及び、前記解除操作機構を各々前記枠体に固定する金属製の固定部材と、
を有し、
前記固定部材は、前記連結部材とともに前記補強部材に固定されていることを特徴とする建具。
【請求項２】
請求項１に記載の建具であって、
互いに隣り合い連結される前記枠材のうちの一方は、前記連結部材が収容され前記中空部の内外を連通する切り欠き部を有していることを特徴とする建具。
【請求項３】
請求項２に記載の建具であって、
前記連結部材において前記切り欠き部に収容される部位には、前記固定部材が固定されていないことを特徴とする建具。
【請求項４】
請求項２または請求項３に記載の建具であって、
前記連結部材は、前記切り欠き部に沿って固定され、
前記固定部材は、前記連結部材の縁に沿って配置されて固定されていることを特徴とする建具。
【発明の詳細な説明】
【技術分野】
【０００１】
本発明は、枠材を枠組みした枠体と、枠体にヒンジを介して開閉自在に設けられた障子とを有する建具に関する。
【背景技術】
【０００２】
建具の中には、例えば、サッシ枠をなす下枠にヒンジを介して取り付けた障子を、サッシ枠の上枠と、障子の上框との間に設けた錠機構により閉じ位置に保持し、錠機構を解除して障子が開く建具が知られている(例えば、特許文献１参照)。このような建具は、障子を開く方向に付勢するダンパーが枠体の縦枠と障子の縦框との間に取り付けられており、障子を閉止すべく、或いは、錠機構を解除すべく操作するためのワイヤを引き回す滑車が上部に設けられている。また、このような建具の中には、高い断熱性を備えるために枠体が合成樹脂により形成されているものがある。合成樹脂製の枠体を有する建具は、火災時などには枠体が溶融してしまうため、枠体を構成する合成樹脂製の各枠材内に金属製の補強部材が備えられており、ヒンジ、ダンパー、錠機構及び滑車等は補強部材に固定されている。
【先行技術文献】
【特許文献】
【０００３】
【特許文献１】特開２０１１−１５３４１９号公報
【発明の概要】
【発明が解決しようとする課題】
【０００４】
上記従来の建具のように、ヒンジ、ダンパー、錠機構及び滑車等が補強部材に固定されている建具であっても、火災時などには合成樹脂製の枠体が溶融すると、枠体の溶融に伴って補強部材が、次第に垂れ下がり始めることがある。補強部材が垂れ下がり始めると、例えば、錠機構を構成するラッチと受け部材との相対位置にずれが生じ、錠が外れ障子が開いてしまう虞がある。また、障子が開いた場合には火炎が貫通して広がりやすくなり、ヒンジやダンパーが固定されている補強部材が枠体から外れたり、障子が脱落したりする等、防火性能が低いという課題がある。
本発明は、かかる課題に鑑みてなされたものであり、その目的とするところは、より防火性に優れた建具を提供することにある。
【課題を解決するための手段】
【０００５】
かかる目的を達成するための主たる発明は、中空部内に金属製の補強部材を備えた複数の枠材が枠組みされて開口を形成する合成樹脂製の枠体と、前記枠体にヒンジを介して取り付けられ前記開口を閉止可能に設けられた障子と、前記枠体と前記障子とを連結し前記障子を開く方向に付勢するダンパーと、前記障子における前記ヒンジとは反対側の部位を閉止状態にて前記枠体に係止する係止機構と、前記枠体に設けられ開放された前記障子を閉止する方向に移動させる為の移動操作機構と、前記枠体に設けられ前記係止機構による係止を解除する為の解除操作機構と、前記枠体の互いに隣り合う前記枠材内の前記補強部材同士を連結する金属製の連結部材と、前記ダンパー、前記移動操作機構、及び、前記解除操作機構を各々前記枠体に固定する固定部材と、を有し、前記固定部材は、前記連結部材とともに前記補強部材に固定されていることを特徴とする建具である。
本発明の他の特徴については、本明細書及び添付図面の記載により明らかにする。
【発明の効果】
【０００６】
本発明によれば、より防火性に優れた建具を提供することが可能である。
【図面の簡単な説明】
【０００７】
【図１】障子を開いた状態の建具を下方側から見た斜視図である。
【図２】障子を外した状態を示す縦断面図である。
【図３】障子を取り付けた状態を示す縦断面図である。
【図４】障子を取り付けた状態を示す横断面図である。
【図５】障子を外した状態を上から見た横断面図である。
【図６】障子を開いた状態の建具を上方側から見た斜視図である。
【図７】障子を外した状態を下から見た横断面図である。
【発明を実施するための形態】
【０００８】
以下、本発明の第一実施形態に係る建具について図面を参照して説明する。
本実施形態においては、矩形状の枠体に対して、矩形状の障子の下端がヒンジを介して回動自在に取り付けられており、障子の上部側が室外側に移動することにより障子が倒れて開放される外倒し窓用の建具（以下、単に建具という）を例に挙げて説明する。
【０００９】
以下の説明においては、建物等に取り付けられている建具１の上下となる方向を上下方向、左右となる方向を左右方向、奥行き方向を見込み方向として示す。建具１の各部位であっても、また、建具１をなす各部材が単体の状態であっても、取り付けられた状態にて上下方向、左右方向、見込み方向となる方向にて方向を特定して説明する。
【００１０】
建具１は、図１〜図４に示すように、矩形状に枠組みされて開口１０ａを形成する枠体１０と、矩形状のガラス２ａの周りを囲む矩形状の框体２０を有し開口１０ａを閉止可能な障子２と、障子２の上部側が下部側より室外側に移動するように障子２を付勢するダンパー３と、開口１０ａを閉止した状態に障子２を枠体１０に係止する係止機構４と、係止機構４により係止されている障子２の係止を解除するために操作する解除操作機構５と、開放された障子２を閉止方向に移動させるために操作する移動操作機構６と、を有している。以下の説明においては、枠体１０に対して、閉じた障子２が位置する側を内周側、反対側を外周側とし、框体２０に対しては、ガラス２ａが位置する側が内周側、枠体１０が位置する側を外周側として説明する。図１においては、ダンパー３を省略し、図２においては障子２を省略している。
【００１１】
枠体１０は、上下に配置される上枠材１１及び下枠材１２と、左右に配置される２本の縦枠材１３とが枠組みされており、開口１０ａを形成している。各枠材１１、１２、１３すなわち上枠材１１、下枠材１２および２本の縦枠材１３は、いずれも同一の断面形状に押出成形された合成樹脂製の部材であり、長手方向に貫通する枠中空部１１ａ、１２ａ、１３ａを有している。各枠材１１、１２、１３は、各々の長手方向における両端が４５度に傾斜しており、互いに隣り合う枠材１１、１２、１３は、互いの端同士を突き合わせて溶着されて矩形状をなしている。
【００１２】
各枠材１１、１２、１３の枠中空部１１ａ、１２ａ、１３ａ内には、各々の長手方向に沿って金属製の枠補強部材７が、ほぼ全長に亘って設けられている。枠組みされた状態で、上枠材１１と下枠材１２において互いに対向し枠体１０の内周面をなす上枠壁部１１ｂと下枠壁部１２ｂ、及び、左右の縦枠材１３において互いに対向し枠体１０の内周面をなす左右の縦枠壁部１３ｂは、各枠材１１、１２、１３に設けられた枠中空部１１ａ、１２ａ、１３ａの内周側の壁部をなしている。
【００１３】
各枠材１１、１２、１３の枠中空部１１ａ、１２ａ、１３ａ内に設けられている枠補強部材７は、上枠壁部１１ｂ、下枠壁部１２ｂ、左右の縦枠壁部１３ｂのいずれかと枠中空部１１ａ、１２ａ、１３ａ内にて対向する対向壁部７ａを有している。
【００１４】
また、各枠材１１、１２、１３には、枠中空部１１ａ、１２ａ、１３ａよりも室内側であって、枠体１０の上枠壁部１１ｂ、下枠壁部１２ｂおよび左右の縦枠壁部１３ｂよりも枠体１０の内側に突出する内周突出部１１ｃ、１２ｃ、１３ｃが各々設けられている。内周突出部１１ｃ、１２ｃ、１３ｃの突出している先端側は、閉じた状態の障子２の外周部と見込み方向において対向する。
【００１５】
枠体１０を構成する枠材１１、１２、１３のうちの互いに隣り合う２本の枠材１１、１２、１３は、連結部材８により各々連結されている。連結部材８は、互いに隣り合う２本の枠材１１、１２、１３の接合部において、一方の枠材１１、１２、１３側にて対面して固定される連結板部８ａと、他方の枠材１１、１２、１３側にて対面して固定される連結板部８ａとが断面Ｌ字状に繋がっている部材であり、鋼板を曲げ加工して形成されている。２つの連結板部８ａの形状は同一である。連結部材８は、枠体１０の四隅に各々設けられて互いに隣り合う枠材１１、１２、１３同士を連結する。
【００１６】
図５に示すように、左右の縦枠材１３のいずれかと、下枠材１２とを連結する連結部材８の、下枠材１２側にて固定される連結板部８ａは、下枠材１２の枠中空部１２ａに設けられている枠補強部材７の対向壁部７ａと直接対面してビス止めされている。このため、下枠材１２の下枠壁部１２ｂには、長手方向における両端部側に、連結板部８ａが収容される切り欠き部１２ｄが長手方向に沿って設けられている。左右の縦枠材１３側にて固定される連結板部８ａは、縦枠材１３の縦枠壁部１３ｂと対向するように配置されて後述する固定金具１５とともに枠補強部材７の対向壁部７ａにビス止めされている。
【００１７】
左右の縦枠材１３のいずれかと、上枠材１１とを連結する連結部材８は、図２、図７に示すように、縦枠材１３側にて固定される連結板部８ａが、縦枠材１３の枠中空部１３ａに設けられている枠補強部材７の対向壁部７ａと直接対面してビス止めされている。このため、縦枠材１３の縦枠壁部１３ｂには、長手方向における上端部側に、連結板部８ａが収容される切り欠き部１３ｄが長手方向に沿って設けられている。上枠材１１側にて固定される連結板部８ａは、上枠材１１の上枠壁部１１ｂと対向するように配置されて後述する固定金具１５とともに枠補強部材７の対向壁部７ａにビス止めされている。
【００１８】
下枠材１２及び縦枠材１３に設けられている切り欠き部１２ｄ、１３ｄは、押出成形された下枠材１２及び縦枠材１３に機械加工により形成されている為、下枠材１２及び縦枠材１３の長手方向に沿って高精度に形成されている。連結部材８は、連結板部８ａの長手方向に沿う縁が、切り欠き部１２ｄ、１３ｄの長手方向に沿う縁に沿わされることにより位置決めされて固定される。
【００１９】
障子２を構成する框体２０は、上下に配置される上框材２１及び下框材２２と、左右に配置される２本の縦框材２３とが枠組みされ、各框材２１、２２、２３、すなわち上框材２１、下框材２２および２本の縦框材２３の内周側に設けられた溝部にガラス２ａの外周部が収容されている。各框材２１、２２、２３は、いずれも同一の断面形状に押出成形された合成樹脂製の部材であり、長手方向に貫通し、見込み方向に並ぶ室内側中空部２１ａ、２２ａ、２３ａ及び室外側中空部２１ｂ、２２ｂ、２３ｂを有している。各框材２１、２２、２３は、各々の長手方向における両端が４５度に傾斜しており、互いに隣り合う框材２１、２２、２３は、互いの端同士を突き合わせて溶着されて矩形状をなしている。
【００２０】
図３、図４に示すように、上框材２１と左右の縦框材２３の室内側中空部２１ａ、２３ａ内及び室外側中空部２１ｂ、２３ｂ内には、各々の長手方向に沿って金属製の框補強部材９０、９１が、ほぼ全長に亘って設けられており、下框材２２の室外側中空部２２ｂ内には、長手方向に沿って金属製の框補強部材９１が、ほぼ全長に亘って設けられている。下框材２２の框補強部材９１と下枠材１２の枠補強部材７とにヒンジ１ｂが固定されて障子２が開閉自在に設けられている。
【００２１】
枠組みされた状態の上框材２１および左右の縦框材２３において、室内に臨む面をなす上框壁部２１ｃおよび左右の縦框壁部２３ｃは、各框材２１、２３に設けられた室内側中空部２１ａ、２３ａの室内側の壁部をなしている。また、下框材２２においては、枠組みされた状態において下枠材１２と対向する面をなす下框壁部２２ｃが、下框材２２に設けられた室内側中空部２２ａの下側の壁部をなしている。
【００２２】
上框材２１及び縦框材２３の室内側中空部２１ａ、２３ａ内に設けられている框補強部材９０と、下框材２２の室内側中空部２２ａ内に設けられている框補強部材９１は、上框壁部２１ｃ、下框壁部２２ｃ、左右の縦框壁部２３ｃのいずれかと対向する対向壁部９０ａ、９１ａを有している。
【００２３】
ダンパー３は、所謂ショックアブソーバーであり、障子２の左側及び右側において縦枠材１３と縦框材２３との間に設けられており、ダンパー３の長さ方向に圧縮されると伸長方向に付勢するように構成されている。ダンパー３の一方の端部３ａは、ダンパー３を回動自在に支持する下ブラケット３１を介して縦枠材１３の下端部側に固定されており、ダンパーの他端部３ｂは、ダンパー３を回動自在に支持する上ブラケット３２を介して障子２の縦框材２３の上下方向にける中央付近に固定されている。ダンパー３は、障子２を閉じた状態では、圧縮された状態で上端側が、下端側よりも僅かに室外側に位置するように配置されている。
【００２４】
下ブラケット３１は、縦枠材１３の内周突出部１３ｃにおける室内に臨む面に対面させて当接される下ブラケット当接板部３１ａと、下ブラケット当接板部３１ａの内周側の縁から室内側に延出された下ブラケット室内延出板部３１ｂとを有し、断面形状がＬ字状をなしており、ダンパー３は、下ブラケット室内延出板部３１ｂと直交する軸周りに回転可能に支持されている。下ブラケット当接板部３１ａは、縦枠材１３の内周突出部１３ｃの室外側に設けられる固定金具１５に固定されている。
【００２５】
固定金具１５は、縦枠材１３の内周突出部１３ｃにおける室外に臨む見付け面１３ｅと対面して当接される見付け当接板部１５ａと、左右の縦枠壁部１３ｂの見込み面と対面して当接される見込み当接板部１５ｂとを有している。見付け当接板部１５ａには、室内側に突出させて円筒状のピン１５ｃが設けられており、ピン１５ｃの内周面に雌ねじが形成されている。ピン１５ｃは、見付け当接板部１５ａが内周突出部１３ｃに当接されたときに、内周突出部１３ｃに設けられている孔を貫通する。内周突出部１３ｃの孔を貫通したピン１５ｃの先端は、内周突出部１３ｃの室内側の面１３ｆより僅かに室外側に位置している。
【００２６】
ダンパー３の下ブラケット３１は、内周突出部１３ｃの室外側の面１３ｅに見付け当接板部１５ａが当接された固定金具１５と内周突出部１３ｃを挟んで、内周突出部１３ｃの室内側の面に下ブラケット当接板部３１ａが当接され、室内側から進入するビスが下ブラケット当接板部３１ａを貫通してピン１５ｃに螺合されて締め込まれることにより、枠体１０に固定されている。
【００２７】
固定金具１５の見込み当接板部１５ｂは、縦枠材１３の縦枠壁部１３ｂに当接され、縦枠壁部１３ｂとは反対側に連結部材８の連結板部８ａが当接され、連結板部８ａとともに枠体１０の内周側から進入するビスにより縦枠材１３内の枠補強部材７に固定されている。このとき、固定金具１５の縁と連結部材８の縁とを揃えることで固定金具１５が位置決めされる。
【００２８】
係止機構４は、図６、図７に示すように、上枠材１１の左右方向における中央に設けられたラッチ機構４ａと、障子２の上框材２１の左右方向における中央に設けられたラッチ受け４ｂと、で構成されている。このラッチ機構４ａには、引っ張ることにより、ラッチ受け４ｂに係止されたラッチボルト(不図示)の係止状態を解除可能な解除用ワイヤ５ａが繋がっている。解除用ワイヤ５ａは、上枠材１１の左右方向における一方の端部（図７では左端部）に設けられたプーリーユニット５０のプーリー５１に巻き付けられて先端が下方に垂れ下がっている。
【００２９】
また、障子２の上框材２１に設けられているラッチ受け４ｂには、開いた状態の障子２の上部を枠体１０側に引っ張るための閉止用ワイヤ６ａが繋がっている。閉止用ワイヤ６ａは、上枠材１１のラッチ機構４ａとともに設けられたプーリー４ｃ(図１)と、上枠材１１の左右方向における他方の端部（図７では右端部）に設けられたプーリーユニット６０のプーリー６１とに引き回されて先端が下方に垂れ下がっている。ここで、解除用ワイヤ５ａと左側のプーリーユニット５０とが、係止機構４により係止されている障子２の係止を解除するために操作する解除操作機構に相当し、閉止用ワイヤ６ａと中央のプーリー及び右側のプーリーユニット６０とが開放された障子２を閉止方向に移動させるために操作するための移動操作機構に相当する。
【００３０】
左端部及びに右端部に設けられているプーリーユニット５０、６０は、プーリー５１、６１が回動自在に支持されているプーリー支持部５２、６２と、プーリー支持部５２、６２を上枠材１１に固定するためのプーリーブラケット５３、６３とを有している。プーリーブラケット５３、６３は、プーリー支持部５２、６２が取り付けられ、上枠材１１の内周突出部１１ｃにおける室内に臨む面１１ｅと間隔を空けて対面する上対面板部５３ａ、６３ａと、上対面板部５３ａ、６３ａの左右の縁からそれぞれ見込み方向に延出された脚板部５３ｂ、６３ｂと、脚板部５３ｂ、６３ｂの室外側の縁から互いに反対方向に延出され内周突出部１１ｃにおける室内に臨む面１１ｅと対面して当接される上対面当接部５３ｃ、６３ｃとを有している。プーリー支持部５２、６２は、上対面板部５３ａ、６３ａに取り付けられると、軸が見込み方向に沿って配置され、巻付けられる解除用ワイヤ５ａまたは閉止用ワイヤ６ａが鉛直方向に垂れ下がるように構成されている。
【００３１】
解除用ワイヤ５ａまたは閉止用ワイヤ６ａが巻き付けられるプーリーユニット５０、６０の上対面当接部５３ｃ、６３ｃは、上枠材１１の内周突出部１１ｃの室外側に設けられる固定金具１５固定されている。
【００３２】
固定金具１５は、見付け当接板部１５ａが内周突出部１１ｃに当接されたときに、見付け当接板部１５ａのピン１５ｃが、内周突出部１１ｃに設けられている孔を貫通する。内周突出部１１ｃの孔を貫通したピン１５ｃの先端は、内周突出部１１ｃの室内側の面より僅かに室外側に位置している。
【００３３】
プーリーブラケット５３、６３は、内周突出部１１ｃの室外側の面１１ｆに見付け当接板部１５ａが当接された固定金具１５と内周突出部１１ｃを挟んで、内周突出部１１ｃの室内側の面１１ｅに上対面当接部５３ｃ、６３ｃが当接され、室内側から進入するビスが上対面当接部５３ｃ、６３ｃを貫通してピン１５ｃに螺合されて締め込まれることにより、枠体１０に固定されている。本実施形態においては、ダンパー３の下ブラケット３１及びプーリーブラケット５３、６３を固定する固定部材１５は同一の部材である。
【００３４】
固定金具１５の見込み当接板部１５ｂは、上枠材１１の上枠壁部１１ｂに当接され、上枠壁部１１ｂとは反対側に連結部材８の連結板部８ａが当接され、連結板部８ａとともに枠体１０の内周側から進入するビスにより上枠材１１内の枠補強部材７に固定されている。このとき、固定金具１５の縁と連結部材８の縁とを揃えることで固定金具１５が位置決めされる。
【００３５】
本実施形態の外倒し窓用の建具１は、障子２が閉止されている状態で、解除用ワイヤ５ａを下方に引っ張ると、ラッチ機構４ａのラッチボルトがラッチ受け４ｂから抜け出て係止状態が解除される。ラッチ機構４ａが解除されると、障子２は、ダンパー３により上部が室外側に移動するように回動して開放状態となる。
【００３６】
一方、障子２が開放されている状態で閉止用ワイヤ６ａを下方に引っ張ると、障子２の上部が上枠材１１側に引き寄せられ、ラッチボルトがラッチ受け４ｂを乗り越えることにより障子２が閉じた状態で係止される。
【００３７】
本実施形態の建具１によれば、互いに隣り合う枠材１１、１２、１３は、当該枠材１１、１２、１３内に備えられている金属製の枠補強部材７が金属製の連結部材８により連結されているので、枠状に繋がっている枠材１１、１２、１３の１つが溶融したとしても、隣り合う枠材１１、１２、１３内の枠補強部材７により保持される。このため、溶融した枠材１１、１２、１３内の枠補強部材７が垂れ下がったり外れ落ちたりすることを防止することが可能である。
【００３８】
また、各枠材１１、１２、１３内の枠補強部材７の姿勢が変わりにくいので、枠補強部材７に取り付けられているラッチ機構４ａにより障子２が枠体１０に係止された状態が維持される。このため、火災が発生しても障子２が開きにくいので、室内外において火炎が貫通しない。このため、火炎の広がりを防止することが可能である。
【００３９】
また、枠状に繋がった枠補強部材７には、障子２と枠体１０とを繋ぐヒンジ１ｂ、ダンパー３を固定するための固定金具１５、解除用ワイヤ５ａが巻き付けられたプーリーユニット５０を固定するための固定金具１５、及び、閉止用ワイヤ６ａが巻き付けられたプーリーユニット６０を固定するための固定金具１５が固定されているので、たとえいずれかの枠材１１、１２、１３が溶融したとしても、障子２が即座に外れ落ちることを防止することが可能である。
【００４０】
また、下枠材１２及び縦枠材１３には、連結部材８が収容され下枠材１２及び縦枠材１３の内外を連通する切り欠き部１２ｄ、１３ｄを有しているので、少なくとも下枠材１２及び縦枠材１３内の枠補強部材７と連結部材８とは直接接合される。このため、下枠材１２及び縦枠材１３が溶融した場合であっても、下枠材１２または縦枠材１３側の枠補強部材７と連結部材８とが緩み無く接合されている状態を保つことが可能である。このとき、切り欠き部１２ｄ、１３ｄを、連結する枠材１１、１２、１３の双方に設けてもよいが、枠材１１、１２、１３への加工が増えるので、少なくとも一方に設けておくことにより、作業工数及びコストを抑えつつもより強固に障子２を保持した状態を維持することが可能である。
【００４１】
また、切り欠き部１２ｄ、１３ｄに挿入される連結部材８に固定金具１５が固定される場合には、切り欠き部１２ｄ、１３ｄの形状が複雑になる虞があり、加工が難しくコストが嵩む虞がある。このため、連結部材８において切り欠き部１２ｄ、１３ｄに収容される部位に、固定金具１５を固定しないことにより、コストを抑えると共に、取り付けも容易である。
【００４２】
また、長手方向に沿って形成された切り欠き部１２ｄ、１３ｄの縁に、切り欠き部１２ｄ、１３ｄに収容される連結部材８の連結板部８ａの縁を沿わせることにより連結部材８と下枠材１２または縦枠材１３との位置合わせをすることができ、連結部材８の縁に沿って、固定金具１５の縁を配置して固定することにより、連結部材８と固定金具１５との位置決めをすることが可能である。このため、固定金具１５により固定されるダンパー３、解除用ワイヤ５ａが巻き付けられたプーリーユニット５０、及び、閉止用ワイヤ６ａが巻き付けられたプーリーユニット６０を枠材に対して位置決めして、より適切な位置に固定することが可能である。
【００４３】
上記実施形態においては、外倒し窓用の建具を例に挙げて説明したが、これに限るものではなく、内倒し窓、突き出し窓など、回動することにより開放される窓を構成する建具であれば構わない。
【００４４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
本実施形態には、少なくとも以下の発明が含まれる。
【００４５】
中空部内に金属製の補強部材を備えた複数の枠材が枠組みされて開口を形成する合成樹脂製の枠体と、前記枠体にヒンジを介して取り付けられ前記開口を閉止可能に設けられた障子と、前記枠体と前記障子とを連結し前記障子を開く方向に付勢するダンパーと、前記障子における前記ヒンジとは反対側の部位を閉止状態にて前記枠体に係止する係止機構と、前記枠体に設けられ開放された前記障子を閉止する方向に移動させる為の移動操作機構と、前記枠体に設けられ前記係止機構による係止を解除する為の解除操作機構と、前記枠体の互いに隣り合う前記枠材内の前記補強部材同士を連結する金属製の連結部材と、前記ダンパー、前記移動操作機構、及び、前記解除操作機構を各々前記枠体に固定する金属製の固定部材と、を有し、前記固定部材は、前記連結部材とともに前記補強部材に固定されていることを特徴とする建具である。
【００４６】
このような建具によれば、互いに隣り合う枠材は、当該枠材内に備えられている金属製の補強部材が金属製の連結部材により連結されているので、枠状に繋がっている枠材の１つが溶融したとしても、隣り合う枠材の補強部材に保持される。このため、溶融した枠材内の補強部材が垂れ下がったり外れ落ちたりすることを防止することが可能である。
【００４７】
また、枠材内の補強部材の姿勢が変わりにくいので、補強部材に取り付けられている係止機構により障子が枠体に係止された状態が維持される。このため、火災が発生しても障子が開きにくいので、室内外において火炎が貫通しない。このため、火炎の広がりを防止することが可能である。また、枠状に繋がった補強部材には、障子と枠体とを繋ぐダンパー、枠体に固定される移動操作機構及び解除操作機構が、それぞれ金属製の固定部材により固定されているので、たとえいずれかの枠材が溶融したとしても、障子が即座に外れ落ちることを防止することが可能である。
【００４８】
かかる建具であって、互いに隣り合い連結される前記枠材のうちの一方は、前記連結部材が収容され前記中空部の内外を連通する切り欠き部を有していることを特徴とする。
【００４９】
このような建具によれば、互いに隣り合い連結される枠材のうちの一方には、連結部材が収容され中空部の内外を連通する切り欠き部を有しているので、少なくとも互いに隣り合い連結される枠材のうちの一方の枠材内の補強部材と連結部材とは直接接合される。このため、枠材が溶融した場合であっても、一方の枠材側の補強部材と連結部材とが緩み無く接合されている状態を保つことが可能である。このとき、切り欠き部を連結する枠材の双方に設けてもよいが、枠材への加工が増えるので、少なくとも一方に設けておくことにより、作業工数及びコストを抑えつつもより強固に障子を保持した状態を維持することが可能である。
【００５０】
かかる建具であって、前記連結部材において前記切り欠き部に収容される部位には、前記固定部材が固定されていないことを特徴とする。
【００５１】
このような建具によれば、切り欠き部に挿入される連結部材に固定部材が固定される場合には、切り欠き部の形状が複雑になる虞があり、加工が難しくコストが嵩む虞がある。このため、連結部材において切り欠き部に収容される部位に、固定部材を固定しないことにより、コストを抑えると共に、取り付けも容易である。
【００５２】
かかる建具であって、前記連結部材は、前記切り欠き部に沿って固定され、前記固定部材は、前記連結部材の縁に沿って配置されて固定されていることを特徴とする。
【００５３】
このような建具によれば、切り欠き部に収容される連結部材により連結部材と枠材との位置合わせをすることができ、連結部材の縁に沿って、固定部材を配置して固定することにより、連結部材と固定部材との位置決めをすることが可能である。このため、固定部材により固定されるダンパー、移動操作機構、及び、解除操作機構を枠材に対して位置決めして、より適切な位置に固定することが可能である。
【符号の説明】
【００５４】
１  建具、１ｂ  ヒンジ、２  障子、３  ダンパー、７  枠補強部材、８  連結部材、
１０  枠体、１０ａ  開口、１１  上枠材、１１ａ  枠中空部、１２  下枠材
１２ａ  枠中空部、１２ｄ  切り欠き部部、１３  縦枠材、１３ａ  枠中空部、
１３ｄ  切り欠き部、５３  プーリーブラケット、６３  プーリーブラケット、
【図１】
2020023808.tif 000003
【図２】
2020023808.tif 000004
【図３】
2020023808.tif 000005
【図４】
2020023808.tif 000006
【図５】
2020023808.tif 000007
【図６】
2020023808.tif 000008
【図７】
2020023808.tif 000009